(57)【要約】
【課題】ペンダントをぶら下げたネックレスにおいて、着用中にネックレス金具が首の後部分から胸部に位置した場合には、見た目にも悪く、身体や首の動きによっては頻繁に金具位置を直して着用することの無いように、ネックレス金具の移動を防ぐと共に、ペンダントの装飾性を損なうことがないシンプルな形状、構造とした、ネックレス金具の移動防止機能を有するバチカンの提供を目的とした。
【解決手段】本考案のバチカンは、背面に略矩形の切り欠き部と、上記切り欠き部の両側面には対向したネックレスチェーンが挿通可能なチェーン挿入孔と、上記切り欠き部に弾性体を配し、以上の構成からなることを特徴とした。
【選択図】図１
0003100263.tif 000002
【実用新案登録請求の範囲】
【請求項１】
　両端を互いに連結する金具を有するネックレスの長手方向の略中央位置にペンダントをぶら下げた吊り下げ具（以下、吊り下げ具をバチカンと称する）において、上記バチカン２は、
（１）背面に略矩形の切り欠き部３を形成。
（２）上記切り欠き部の両側面には対向するネックレスチェーン１が挿通可能なチェーン挿入孔５ａ、５ｂを設けた。
（３）上記切り欠き部３に貫通孔６を有するシリコンゴム等の弾性体４（以下、貫通孔を有するシリコンゴム等の弾性体を弾性体と称する）を配した。
　以上の構成からなり、上記弾性体の弾性により、ネックレス着用中に、ペンダントをぶら下げたバチカンをネックレスの長手方向の略中央位置から両端側への移動を防ぐことによってネックレス金具が首の後部分から胸部に移動防止することを特徴としたネックレス金具の移動防止機能を有するバチカン。
【請求項２】
　ペンダントと一体型としたことを特徴とした請求項１記載のネックレス金具の移動防止機能を有するバチカン。
【考案の詳細な説明】
【技術分野】
【０００１】
　本考案は、両端を互いに連結する金具（以下、ネックレス金具と称する）を有するネックレスの長手方向の略中央位置にペンダントをぶら下げたバチカンにおいて、上記、ネックレス着用中にペンダントの移動を防ぐことによって、ネックレス金具が移動することを防ぐ機能を有するバチカンに関するものである。
【背景技術】
【０００２】
　ペンダントに使用する従来のバチカンは、略０字状の楕円、または、略逆三角形状にして多く使用されているが、例えば、ネックレスチェーンの太さ径１ｍｍに対して、バチカンの内径を３ｍｍとすると３倍の径の大きさで有るためにネックレスが自由に動き、ネックレス金具が、首の後部分から胸部に位置した場合には見た目にも悪く、身体や首の動きによっては頻繁にネックレスの金具位置を直して着用しているのが現状である。
【０００３】
　上記ネックレス金具の移動を防ぐ改善策として、バチカンの内径上部に弾力性の円弧状のバネを対向して２個取り付け、上記バネの隙間にネックレスを挟み込むことで、上記バネの弾性にてネックレスが固定されネックレス金具の移動を防ぐ方法が提案されている（例えば特許文献１参照。）。
【０００４】
　また、バチカンの内径上部に弾性を有する異種材料を接合する方法、Ｃ字状またはＬ字状のジグを接合し、上記ジグとバチカンとで囲まれた内側及び、先端の部分にシリコンゴム等を塗布し、上記シリコンゴム等の弾性にてネックレス金具の移動を防ぐ方法で提案されているものもある（例えば特許文献２参照。）。
【０００５】
　しかし、上記の提案の何れも、小さいバチカン内径部に細かな加工を行う必要が有り、弾性を失わないように板バネの取り付けには問題が有り、シリコンゴム等の塗布は接合が剥がれ易い欠点があった。
【０００６】
【特許文献１】特開平７−２４１２０３号公報
【特許文献２】特開２００２−１４２８１９号公報
【考案の開示】
【考案が解決しようとする課題】
【０００７】
　解決しようとする問題点は、ペンダントをぶら下げたネックレスにおいて、着用中にネックレス金具が首の後部分から胸部に位置した場合には見た目にも悪く、身体や首の動きによっては、頻繁に金具位置を直して着用することの無いように、ネックレス金具の移動を防ぐ機能を有するバチカンを提供することを目的とした。
【０００８】
　また、ペンダントの装飾性を損なうことの無いようシンプルな形状、構造とした、ネックレス金具の移動防止機能を有するバチカンの提供を目的とした。
【課題を解決するための手段】
【０００９】
　本考案は、ペンダントをぶら下げたバチカン２、または、バチカンと一体型になったペンダント１０の背面に略矩形の切り欠き部３を形成し、上記切り欠き部３の両側面には、対向するネックレスチェーン１が挿通可能なチェーン挿入孔５ａ、５ｂを設けて、上記切り欠き部３に弾性体４を配した。そして、ネックレスチェーン１の一端を、切り欠き部側面に設けたチェーン挿入孔５ａより、弾性体４と、チェーン挿入孔５ｂを貫通させることで、上記弾性体４の弾性により、着用中にペンダントをネックレスの長手方向の略中央位置から両端側への移動を防ぐことによって、ネックレス金具が首の後部分から胸部に移動防止することを特徴とした。
【考案の効果】
【００１０】
　本考案のバチカンを用いてペンダントをぶら下げたネックレスにおいて、着用中にネックレス金具が首の後部分から胸部に移動することがなくなり、頻繁に金具位置を直す必要もなく、装飾性のないネックレス金具を首の後ろに安定させた状態で着用させることができる。
【００１１】
また、シンプルな構造にした結果、ペンダントの装飾性を損なうことなく使用できるため、装飾品としての見栄えを失うことなく用いることできるバチカンの提供が可能となった。
【考案を実施するための最良の形態】
【００１２】
　以下、図面を用いて本考案の実地形態を詳細に説明する。
【００１３】
　図１は、本考案のバチカンを用いてペンダントを吊り下げた一実施例の正面図であって、図２は該バチカンの拡大正面図、図３は拡大右側面図、図４は拡大平面図である。
【００１４】
　本考案のバチカン２の製造はロストワックス鋳造方法を用いるのが好ましく、図１のバチカン２は、背面上部に弾性体４を配するための切り欠き部３を設け、上記切り欠き部の両側面には対向するネックレスチェーン１が挿通可能なチェーン挿入孔５ａ、５ｂを設け、そして、ペンダントをぶら下げる貫通した接続孔７を設けて構成した。
【００１５】
　接続孔７に連結環９を介してペンダント８を連結し、切り欠き部３に弾性体４を配して、ネックレスチェーン１の一端を切り欠き部の側面に設けたチェーン挿入孔５ａより、弾性体４と、チェーン挿入孔５ｂを貫通させることで、弾性体４の弾性により、バチカン２をネックレスチェーン１の長手方向の略中央位置から両端側へ自由に移動することを防止した。
【００１６】
　図５は、請求項２に記述のネックレス金具の移動防止機能を有するバチカンと、ペンダントを一体型としたペンダント（以下、バチカン一体型ペンダントと称する）の一実施例を示し、図６は図５の側面図を示す。上記バチカン一体型ペンダント１０は、背面上部に弾性体４を配するための切り欠き部３を設け、該切り欠き部の両側面には対向するネックレスチェーン１が挿通可能なチェーン挿入孔５ａ、５ｂを設けて構成した。
【００１７】
　切り欠き部３に弾性体４を配して、ネックレスチェーン１の一端を切り欠き部の側面に設けたチェーン挿入孔５ａより、弾性体４と、チェーン挿入孔５ｂを貫通させることで、弾性体４の弾性により、上記バチカン一体型ペンダント１０をネックレスチェーン１の長手方向の略中央位置から両端側へ自由に移動することを防止した。
【００１８】
　図７は、上記バチカン一体型ペンダント１０を用いて、ネックレス着用の一実施例を示す概念図であり、ネックレスチェーン１の一端を切り欠き部の側面に設けたチェーン挿入孔５ａより、弾性体４と、チェーン挿入孔５ｂを貫通させ、上記のネックレスチェーン１の一端に連結環を介して引輪金具３０を連結、もう一端には連結環を介して引輪連結プレート３１を連結、引輪金具３０と引輪連結プレート３１を連結することでネックレス１５を形成した。
【００１９】
　そして、弾性体４の弾性により、上記バチカン一体型ペンダント１０をネックレスチェーン１の長手方向の略中央位置から両端側への移動を防ぐことにより、着用中のネックレス金具３２が首の後部分から胸部に移動することがなくなり、頻繁に金具位置を直す必要もなく、装飾性のないネックレス金具３２を首の後ろに安定させた状態で着用させることができる。
【図面の簡単な説明】
【００２０】
【図１】本考案のバチカンを用いたペンダントの一実施例を示す正面図である
【図２】本考案の一実施例を示すバチカンの拡大正面図である。
【図３】本考案の一実施例を示すバチカンの拡大右側面図である。
【図４】本考案の一実施例を示すバチカンの拡大平面図である。
【図５】本考案のバチカンと一体型にしたペンダントの一実施例を示す正面図である。
【図６】本考案のバチカンと一体型にしたペンダントの一実施例を示す右側面図である。
【図７】本考案のバチカンと一体型にしたペンダントを用いて、ネックレス着用の一実施例を示す概念図である。
【図８】従来のバチカンの斜視図である。
【符号の説明】
【００２１】
　１　　　ネックレスチェーン
　２　　　バチカン
　３　　　切り欠き部
　４　　　弾性体（貫通孔を有するシリコンゴム等の弾性体）
　５ａ　　チェーン挿入孔
　５ｂ　　チェーン挿入孔
　６　　　弾性体の貫通孔
　７　　　接続孔
　８　　　ペンダント
　９　　　連結環
１０　　　バチカン一体型ペンダント
１５　　　ネックレス
２０　　　宝石
３０　　　引輪金具
３１　　　引輪連結プレート
３２　　　ネックレス金具（引輪金具、引輪連結プレート）
４０　　　従来の０字状の楕円バチカン
４１　　　従来の略逆三角形状のバチカン
【図１】
0003100263.tif 000003
【図２】
0003100263.tif 000004
【図３】
0003100263.tif 000005
【図４】
0003100263.tif 000006
【図５】
0003100263.tif 000007
【図６】
0003100263.tif 000008
【図７】
0003100263.tif 000009
【図８】
0003100263.tif 000010